(57)【要約】【課題】  健常者をも含めて、日常的に気軽に体重を計測することの可能な技術を提供する。【解決手段】  歩行体重計は、被計測者が通過する路面や床面等に設置される。歩行体重計の上部を被計測者が通過すると、歩行体重計は、所定閾値以上の計測値のうち、計測値がその所定閾値以上となってから所定時間内のものを抽出する。さらに、歩行体重計は、抽出した計測値の中央平均値を算出し、この値を、被計測者の体重値とする。【選択図】  図１
2008139179.tif 000002
【特許請求の範囲】
【請求項１】
面状の荷重受け部と、
前記荷重受け部により受けた被計測者の荷重を検出し、該検出した値を計測値として順次出力する計測値取得部と、
演算装置と、
出力装置と、を有する体重計測装置であって、
前記演算装置は、前記出力された複数の計測値から前記被計測者の体重値を取得して、前記出力装置から出力させること
を特徴とする体重計測装置。
【請求項２】
請求項１記載の体重計測装置であって、
前記演算装置は、前記出力された複数の計測値の中央平均値から、前記被計測者の体重値を取得すること
を特徴とする体重計測装置。
【請求項３】
請求項２記載の体重計測装置であって、
前記演算装置は、前記出力された複数の計測値のうち、該計測値が閾値より大きい値であり続ける間の所定時間内の計測値を選択し、該選択した計測値の中央平均値から、前記被計測者の体重値を取得すること
を特徴とする体重計測装置。
【請求項４】
演算装置と、
出力装置と、を有する体重測定装置における体重測定方法であって、
面状の荷重受け部により荷重を受けるステップと、
前記荷重受け部により受けた被計測者の荷重を検出し、該検出した値を計測値として順次出力するステップと、
前記演算装置に、前記出力された複数の計測値から前記被計測者の体重値を取得させるステップと、
前記取得した体重値を前記出力装置から出力させるステップと、を有すること
を特徴とする体重計測方法。
【発明の詳細な説明】
【技術分野】
【０００１】
本発明は、被計測者の体重を計測する体重計に関する。
【背景技術】
【０００２】
従来、一般的な体重計は、その上に体重を計測しようとする被計測者となる人間が載り、計測値が安定するまでそこで静止し、表示される数値を読み取るものであった。
【０００３】
一方、歩行しながら体重を計測するものとしては、特許文献１、特許文献２、特許文献３に記載の技術がある。
【０００４】
特許文献１には、車椅子に乗った被計測者が傾斜台を使用して体重計本体に乗り上がり、被計測者の進行に伴って操作表示部を自動的に移動させることにより、歩行障害者が車椅子に乗った状態で介護者の援助を受けずに、自分自身の体重を計測するものが示されている。
【０００５】
特許文献２には、体重計測機構を備えた歩行器の構成が示されている。
【０００６】
特許文献３には、大型で比較的ゆっくりと歩く牛などの被計量家畜を、細長い壁に覆われた路面状の秤量部の上を歩行通過させてその体重を計量するものが示されている。
【０００７】
【特許文献１】特開平１１−２１１５５０号公報
【特許文献２】特開平９−３９８号公報
【特許文献３】特開平５−１８８０７号公報
【発明の開示】
【発明が解決しようとする課題】
【０００８】
従来の一般的な技術では、体重を計測するために被計測者は体重計の上で静止しなくてはならないため、継続的に計測するには、計測に時間や手間がかかる。
【０００９】
特許文献１、特許文献３に記載の技術は大型で長い通路上の体重計測部分の上を車椅子（あるいは牛などの歩行速度）で移動する程度の比較的ゆっくりとした速度で移動する必要がある。また、変動幅が所定範囲内で所定時間以上安定した安定値群を計測の対象値とするために装置自体も大型となる。
【００１０】
特許文献２に記載の技術は、被計測者の体重を計測する器具として歩行補助器具の形をしているため、健常者が日常的に使用するには不便である。
【００１１】
本発明はこのような事情に鑑みてなされたもので、健常者をも含めて、日常的に気軽に体重を計測することの可能な技術を提供することを目的とする。
【課題を解決するための手段】
【００１２】
本発明は上記の目的を達成するためになされたもので、被計測者の通過する面上で受けた荷重を計測することにより、その被計測者の体重を取得することを特徴とする。
【００１３】
また、本発明は、面状の荷重受け部と、前記荷重受け部により受けた被計測者の荷重を検出し、該検出した値を計測値として順次出力する計測値取得部と、演算装置と、出力装置と、を有する体重計測装置であって、前記演算装置は、前記出力された複数の計測値から前記被計測者の体重値を取得して、前記出力装置から出力させることを特徴とする。
【発明の効果】
【００１４】
本発明によれば、健常者をも含めて、日常的に気軽に体重を計測することの可能となる。即ち、通過するだけで体重を計測することが可能となるので、継続的な計測が容易となる。
【発明を実施するための最良の形態】
【００１５】
以下、一実施形態を、図面を参照して詳細に説明する。
＜第１の実施形態＞
まず、図１を参照し、第１の実施形態の構成例を説明する。
【００１６】
図１において、歩行体重計１０１と、モニタ機器１０２とは、通信ネットワーク１０３を介して接続されている。
【００１７】
歩行体重計１０１は、被計測者が通過する路面や床面等に設置されており、上部を通過する被計測者の体重値を取得する。歩行体重計１０１により取得された体重値は、モニタ機器１０２に出力され、保持される。通信ネットワーク１０３は特に限定するものではないが、例えば、無線ＬＡＮ（Local Area Network）等である。
【００１８】
歩行体重計１０１は、重量センサ１１１、電源部１１２、体重値取得装置１１３等を有する。
【００１９】
重量センサ１１１は、被計測者の通過する路面や床面に、その被計測者の荷重をうけるように設置される。この重量センサ１１１の詳細な構成例については後述する。
【００２０】
電源部１１２は、外部電力１０４と接続され、電力を供給されている。
【００２１】
体重値取得装置１１３は、出力装置１１４、補正値入力装置１１５、インタフェース１１６、計測値処理装置１１７等を有する。インタフェース１１６は、通信ネットワーク１０３に接続するためのものである。計測値処理装置１１７は、重量センサ１１１から入力された計測値から、被計測者の体重値を取得する。
【００２２】
次に、図２を参照し、出力装置１１４、補正値入力装置１１５、インタフェース１１６、計測値処理装置１１７の構成例を詳細に説明する。
【００２３】
図２において、計測値処理装置１１７は、ＣＰＵ（Central Processing Unit）２４１、発揮性記憶装置２４２、不発揮性記憶装置２４３、Ｉ/Ｏコントローラ２４４、Ａ/Ｄ（analog to digital）コンバータ２４５等を有する。
【００２４】
ＣＰＵ２４１は、発揮性記憶装置２４２、不発揮性記憶装置２４３、Ｉ/Ｏコントローラ２４４、Ａ/Ｄコンバータ２４５と接続されている。
【００２５】
発揮性記憶装置２４２は、例えば、DRAM（Dynamic Random Access Memory）等であり、後述するプログラム実行時に主記憶として利用される。不発揮性記憶装置２４３は、例えば、フラッシュメモリ（Flash Memory）等である。不発揮性記憶装置２４３は、計測値処理プログラム２５１、補正値テーブル２５２等を記憶する。
【００２６】
計測値処理プログラム２５１は、重量センサ１１１からの計測値から体重値を取得する機能を実現するプログラムである。補正値テーブル２５２は、入力された荷重値から体重を取得するための条件を格納する。
【００２７】
なお、不発揮性記憶装置２４３は、通常利用されるブートプログラムや、基本通信プロトコル処理プログラム等（何れも図示略）を記憶していても良い。
【００２８】
Ｉ/Ｏコントローラ２４４には、出力装置１１４、インタフェース１１６等が接続されている。
【００２９】
Ａ/Ｄコンバータ２４５は、重量センサ１１１から入力されたアナログ重量信号をデジタル電圧データへ変換する。
【００３０】
出力装置１１４は、例えば、ディスプレイ装置、スピーカ装置、プリンタ等である。なお、ディスプレイ装置は特に限定するものではなく、例えば、７セグＬＥＤ（Light Emitting Diode）やＳＥＤ（Surface-conduction Electron-emitter Display）、ＬＣＤ（Liquid Crystal Display）等があるが、ここでは、ＬＣＤであるものとして説明する。ＬＣＤ２１１には、算出された体重値や計測値等が表示される。
【００３１】
インタフェース１１６は、ＬＡＮデバイス２３１を有する。ＬＡＮデバイス２３１は特に限定するものではないが、例えば、IEEE 802.11等の規格に従う、ＴＣＰ/ＩＰなどの通信を無線通信により行うデバイスである。
【００３２】
ＣＰＵ２４１は、計測値処理プログラム２５１を実行することにより、計測値受付部２６１、計測値抽出部２６２、算出部２５３、重量補正部２６４、出力処理部２６５等を実現する。計測値受付部２６１は、重量センサ１１１から入力された計測値のうち、補正値テーブル２５２内の重量条件を満たすものを順次発揮性記憶装置２４２等に格納する。計測値抽出部２６２は、発揮性記憶装置２４２に格納された計測値のうち、補正値テーブル２５２内の時間条件を満たすものを抽出する。算出部２５３は、計測値抽出部２６２により抽出された計測値から、被計測者の体重値を取得する。本実施形態では、算出部２５３は、計測値抽出部２６２により抽出された値をトリム平均することにより体重値を取得する。特に、ここでは、算出部２５３は、中央平均することにより、体重値を取得するものとする。なお、ここで、中央平均とは、処理対象のサンプル値を昇順又は降順に並べて、このうち大きいもの及び小さいものの各々を２５％ずつ削除した残りのサンプル値の平均値を算出することをいう。重量補正部２６４は、算出部２５３により算出された値から、補正値テーブル２５２内の重量補正値を引いた値を算出し、この値を被計測者の体重値とする。出力処理部２６５は、取得された体重値を出力する。
【００３３】
補正値入力装置１１５は、スイッチ２２１、スイッチ２２２、スイッチ２２３等を有する。スイッチ２２１は、スイッチ２２２、スイッチ２２３は、重量センサ１１１から入力された計測値から体重値を算出するために用いられる条件値の入力等に用いるスイッチである。スイッチ２２１は、スイッチ２２２、スイッチ２２３は、Ｉ/Ｏコントローラ２４４に接続されている。
【００３４】
スイッチ２２１、数値を上げる場合に押される。スイッチ２２２は、数値を下げる場合に押される。スイッチ２２３は、どの数値を入力するかの選択を行う場合に押される。
【００３５】
なお、計測値処理装置１１７は、上記構成が一つのチップに組み込まれているワンチップマイコンを用いて構成してもよい。また、補正値入力装置１１５は、補正値入力専用でなくてもよい。
【００３６】
次に、図３を参照し、補正値テーブル２５２の一例を説明する。
【００３７】
図３において、補正値テーブル２５２は、閾値３０１、計測値取得開始補正時間３０２、計測値取得終了補正時間３０３、重量補正値３０４等を有する。
【００３８】
閾値３０１は、計測の開始又は終了を検出する閾値となる重量条件である。この閾値３０２は、被計測者の体格や体重、歩行速度等に応じた値である。
【００３９】
計測値取得開始補正時間３０２、計測値取得終了補正時間３０３は、体重値を算出するためのデータとして用いる時間条件である。即ち、重量センサ１１１の検出した荷重が閾値３０２以上となった時を基準時間とし、計測値取得開始補正時間３０２から計測値取得終了補正時間３０３までの間に入力された計測値を、体重値を算出するためのデータとして用いる。この、計測値取得開始補正時間３０２、計測値取得終了補正時間３０３は、被計測者の歩行速度に応じた値である。
【００４０】
重量補正値３０４は、算出された中央平均値の補正値である。この重量補正値３０４は、例えば、被計測者の着衣や鞄、靴等の重量や、歩行速度等に応じた値である。
【００４１】
なお、ここでは、１つの歩行体重計１０１に対し被計測者が１名であることを前提に、１つの補正値テーブル２５２に１組の閾値３０１、計測値取得開始補正時間３０２、計測値取得終了補正時間３０３、重量補正値３０４等を含む場合の例を示している。しかし、被計測者の数は任意でよい。その場合、補正値テーブル２５２は、被計測者毎の、閾値３０１、計測値取得開始補正時間３０２、計測値取得終了補正時間３０３、重量補正値３０４等の組合せを含むものとする。
【００４２】
次に、図４を参照し、重量センサ１１１の構成例を説明する。
【００４３】
図４は、重量センサ１１１の平面図、及び、正面図を示す。重量センサ１１１は、ロードセル４０１を有する。
【００４４】
図４において、ロードセル４０１は、天板４１１、支持部４１２、歪センサ４１３等を有する。天板４１１は面状であり、天板４１１の上面で被計測者の荷重を受ける。支持部４１２は、天板４１１の下部に接して配置され、天板４１１を支持する。歪センサ４１３は、支持部４１２に接して配置される。
【００４５】
天板４１１上を被計測者が通過等すると、被計測者の体重等により天板４１１に荷重がかかる。上述のように支持部４１２は天板４１１を支持しており、この荷重による支持部４１２の歪が、歪みセンサ４１３に伝達される。歪センサ４１３は、支持部４１２の歪を電気信号として体重値取得装置１１３に出力する。
【００４６】
ここで、被計測者が歩行体重計１０１上を通過したとき、重量センサ１１１が出力する計測値の時間変化の一例を、図５を参照して説明する。
【００４７】
図５は、重量センサ１１１が出力する計測値の時間変化を模式的に表したグラフの例である。図５のグラフ５０１において、時刻「Ｔ１」から時刻「Ｔ２」までの間の計測値は、被計測者が歩行体重計１０１に足をかける等して荷重をかけ始めてから、歩行体重計１０１を通過した等で負荷が無くなるまでの例である。
【００４８】
上述のように、本実施形態では、補正値テーブル２５２内の重量条件及び時間条件に従い計測値を抽出し、抽出した計測値から中央平均値を算出することにより、被計測者の体重値を取得する。即ち、補正値テーブル２５２において、重量センサ１１１が出力する計測値（重量）が閾値３０１「ｗ」となったときを基点として、計測値取得開始補正時間３０２「ｔ１」となってから、計測値取得終了補正時間３０３「ｔ２」となるまでの間、即ち、図５における「Ｔｓ」間の計測値を抽出する。さらに、抽出した計測値の中央平均値を算出することにより、被計測者の体重値を取得する。
【００４９】
ここで、「Ｔ１」から「ｔ１」は、被計測者が歩行体重計１０１に足をかける等して荷重をかけ始めてから、歩行体重計１０１上に被計測者の体が完全に乗るまでの時間である。「ｔ１」から「ｔ２」は、歩行体重計１０１上に被計測者の体が完全に乗り、全体重が歩行体重計１０１上にかかっている間の時間である。「ｔ２」から「Ｔ２」は、被計測者が歩行体重計１０１上から足を踏み出し、体重の一部が歩行体重計１０１上からはずれ、さらに歩行を進める等して歩行体重計１０１上から被計測者が降り、加重のなくなった歩行体重計１０１の計測値が減衰して「０」となるまでの時間である。
【００５０】
このとき、「ｔ１」から「ｔ２」の振動の中央平均にある範囲「W△」に、被計測者の体重が含まれる。本実施形態では、この中央平均を算出することによって被計測者の体重値を取得する。
【００５１】
なお、計測時の着衣や、歩幅など被計測者の個人差によって、中央平均の値を補正する必要がある。ただし、服の重量や歩幅などは日々の生活ではそれほど急激には変わらない。そのため、本実施形態では、この補正値を補正値テーブル２５２の重量補正値３０４として、予め設定しておくものとする。
【００５２】
次に、図６を参照して、モニタ機器１０２の構成例を説明する。
【００５３】
モニタ機器１０２は、ＣＰＵ６０１、発揮性記憶装置６０２、不発揮性記憶装置６０３、Ｉ/Ｏコントローラ６０４、出力装置６０５、入力装置６０６、インタフェース６０７等を有する。
【００５４】
不発揮性記憶装置６０３は、出力処理プログラム６１１、体重値履歴テーブル６１２等を記憶する。出力処理プログラム６１１は、後述する機能を実現するものである。体重値履歴テーブル６１２は、歩行体重計１０１から出力された体重値の履歴を格納する。
【００５５】
出力装置６０５は、例えば、ディスプレイ、プリンタ、スピーカ等である。入力装置６０６は、例えば、キーボード、マウス、スキャナ等である。モニタ機器１０２は、インタフェース６０７を介して通信ネットワーク１０３と接続する。
【００５６】
ＣＰＵ６０１は、出力処理プログラム６１１を実行することにより、体重値受付部６２１、出力処理部６２２等を実現する。体重値受付部６２１は、体重歩行計１０１から被計測者の体重値を取得して、体重値履歴テーブル６１２に格納する。出力処理部６２２は、体重値履歴テーブル６１２から体重値を読出し、出力装置６０５に出力する。
【００５７】
次に、図７を参照し、体重値履歴テーブル６１２の一例を説明する。
【００５８】
図７において、体重値履歴テーブル６１２は日時７０１、体重７０２等を有する。各行の日時７０１、体重７０２等は互いに対応付けられている。日時７０１は、対応する体重７０２を取得した日時である。
【００５９】
なお、図７において、体重７０２「エラー」であるものは、計測エラーであることを示す。
【００６０】
次に、動作例を説明する。
【００６１】
まず、図８を参照し、歩行体重計１０１の動作例を説明する。なお、図８の動作例は、歩行体重計１０１の電源がオン等された場合に起動する。
【００６２】
重量センサ１１１は、荷重がかかると、その測定値を、順次、計測値処理装置１１７に出力する。
【００６３】
計測値受付部２６１は、重量センサ１１１からの入力待ちする（Ｓ８０１）。計測値受付部２６１は、重量センサ１１１からの計測値を受け付けると（Ｓ８０２）、受け付けた計測値が閾値より大きいか否か判定する（Ｓ８０３）。具体的には、例えば、計測値受付部２６１は、受け付けた測定値が、補正値テーブル２５２の閾値３０１より大きいか否か判定する。
【００６４】
Ｓ８０３の判定の結果、計測値が閾値より大きくない場合、計測値受付部２６１は、上述のＳ８０１の処理に戻る。
【００６５】
Ｓ８０３の判定の結果、計測値が閾値より大きい場合、計測値受付部２６１は、発揮性記憶装置２４２のワークエリアに、Ｓ８０２で受け付けた計測値を一時的に保存する（Ｓ８０４）。さらに、計測値受付部２６１は、変数を初期化して、計測値と共に保存する（Ｓ８０５）。具体的には、計測値受付部２６１は、時刻を示す変数「ｔ」を「ｔ＝０」とする。さらに、計測値受付部２６１は、発揮性記憶装置２４２のワークエリアに、Ｓ８０４で保存した計測値と対応付けて変数「ｔ」の値を保存する。
【００６６】
計測値受付部２６１は、重量センサ１１１から次に入力された計測値を受けつける（Ｓ８０６）。計測値受付部２６１は、Ｓ８０６で受け付けた計測値が閾値より大きいか否か判定する（Ｓ８０７）。具体的には、例えば、計測値受付部２６１は、受け付けた測定値が、補正値テーブル２５２の閾値３０１より大きいか否か判定する。
【００６７】
Ｓ８０７の判定の結果、計測値が閾値より大きい場合、計測値受付部２６１は、発揮性記憶装置２４２のワークエリアに、Ｓ８０６で受け付けた計測値を一時的に保存する（Ｓ８０８）。さらに、計測値受付部２６１は、変数「ｔ」を更新して、計測値と共に保存する（Ｓ８０９）。具体的には、例えば、計測値受付部２６１は、前回計測値を受け付けてから、今回計測値を受け付けるまでの経過時間を、変数「ｔ」に加算して新たな「ｔ」の値とする。さらに、計測値受付部２６１は、発揮性記憶装置２４２のワークエリアに、Ｓ８０８で保存した計測値と対応付けて変数「ｔ」の値を保存する。この処理の後、計測値受付部２６１は、重量センサ１１１からの入力待ち状態となり、再度、上述のＳ８０６以降の処理を行なう。
【００６８】
Ｓ８０７の判定の結果、計測値が閾値より大きくない場合、計測値抽出部２６２は、補正値テーブル２５２で設定されている時間条件に従い、発揮性記憶装置２４２のワークエリアに保存されている計測値のうち開始時間以降のものを選択する（Ｓ８１０）。そのために、計測値抽出部２６２は、発揮性記憶装置２４２のワークエリアに保存されている変数「ｔ」のうち、補正値テーブル２５２の計測値取得開始補正時間３０２と一致するものを選択する。なお、この一致判定は、完全一致に限るわけではなく、その差が所定閾値内であれば一致と判定してもよい。計測値抽出部２６２がここで選択した変数「ｔ」と対応付けられている計測値以降の値が、開始時間以降のものである。
【００６９】
次に、計測値抽出部２６２は、補正値テーブル２５２で設定されている時間条件に従い、発揮性記憶装置２４２のワークエリアに保存されている計測値のうち終了時間までのものを選択する（Ｓ８１１）。そのために、計測値抽出部２６２は、発揮性記憶装置２４２のワークエリアに保存されている変数「ｔ」のうち、補正値テーブル２５２の計測値取得終了補正時間３０３と一致するものを選択する。なお、この一致判定は、完全一致に限るわけではなく、その差が所定閾値内であれば一致と判定してもよい。計測値抽出部２６２がここで選択した変数「ｔ」と対応付けられている計測値以前の値が、終了時間までのものである。
【００７０】
算出部２５３は、Ｓ８１０で選択した開始時間から、Ｓ８１１で選択した終了時間までの時間が、最小計測値取得間隔より小さいか否か判定する（Ｓ８１２）。この最小計測値取得間隔とは、例えば、補正値テーブル２５２の計測値取得終了補正時間３０３と計測値取得開始補正時間３０２との差分である。即ち、算出部２５３は、重量センサ１１１から、所定閾値より大きい計測値が所定時間以上連続して入力されたか否か判定する。具体的には、例えば、算出部２５３は、上述のＳ８１０、Ｓ８１１各々の処理で、発揮性記憶装置２４２のワークエリアに保存されている変数「ｔ」から、計測値取得開始補正時間３０２と一致するものと、補正値テーブル２５２の計測値取得終了補正時間３０３と一致するものとの両方が選択されたか判定する。
【００７１】
Ｓ８１２の判定の結果、最小計測値取得間隔より小さい場合、算出部２５３は、計測失敗と判定し、エラー処理を行なう（Ｓ８１３）。具体的には、例えば、算出部２５３は、エラー通知を出力装置１１４、インタフェース１１６等に出力する。さらに、算出部２５３は、発揮性記憶装置２４２のワークエリアに保存されている計測値、変数等をクリアする。算出部２５３は、この後、上述のＳ８０１の処理に戻る。
【００７２】
出力装置１１４は、計測エラーを通知する情報を表示等する。インタフェース１１６から出力されたエラー通知は、通信ネットワーク１０３を介してモニタ機器１０２に入力される。
【００７３】
一方、Ｓ８１２の判定の結果、最小計測値取得間隔より小さくない場合、算出部２５３は、Ｓ８１０で選択した開始時間から、Ｓ８１１で選択した終了時間までの間に取得した計測値から中央平均値を算出する（Ｓ８１４）。そのために、例えば、算出部２５３は、発揮性記憶装置２４２から、Ｓ８１０で選択した変数「ｔ」から、Ｓ８１１で選択した変数「ｔ」までの間の各変数「ｔ」に対応付けられている計測値を抽出し、抽出した計測値から中央平均値を算出する。
【００７４】
次に、重量補正部８６４は、Ｓ８１４で算出した中央平均値を補正する（Ｓ８１５）。そのために、重量補正部８６４は、Ｓ８１４で算出した中央平均値から、補正値テーブル２５２の重量補正値３０４の値を引く。重量補正部８６４は、この差分を、被計測者の体重とする。
【００７５】
出力処理部２６５は、Ｓ８１５で取得した体重値を出力装置１１４、インタフェース１１６等に出力する（Ｓ８１６）。この後、発揮性記憶装置２４２のワークエリアに保存されている計測値、変数等をクリア等した後、上述のＳ８０１の処理に戻る。
【００７６】
出力装置１１４は、入力された体重を表示等する。ここで、体重値を出力装置１１４のＬＣＤ２１１に表示した場合の例を図９に示す。図９において、画面９０１は、上述の処理で取得した体重値を表示する場合の例である。
【００７７】
一方、インタフェース１１６から出力された体重値は、通信ネットワーク１０３を介してモニタ機器１０２に入力される。
【００７８】
次に、モニタ機器１０２の動作例を説明する。以下で説明する動作例は、モニタ機器１０２の電源がオン等されると起動するものである。
【００７９】
まず、図１０を参照し、歩行体重計１０１からのデータを受け付ける動作例を説明する。
【００８０】
モニタ機器１０２の体重値受付部６２１は、歩行体重計１０１からの入力待ちする（Ｓ１００１）。体重値受付部６２１は、歩行体重計１０１からのデータを受け付けると（Ｓ１００２）、そのデータを保存する（Ｓ１００３）。具体的には、例えば、体重値受付部６２１は、データを受け付けた日時と受け付けたデータ等とを、体重値履歴テーブル６１２の日時７０１、体重７０２等として追加する。
【００８１】
出力処理部６２２は、体重値を出力装置６０５に出力する（Ｓ１００４）。そのために、出力処理部６２２は、例えば、体重値履歴テーブル６１２から読み出した体重値７０２を出力装置６０５に出力する。その後、体重値受付部６２１は、Ｓ１００１の処理に戻る。
【００８２】
なお、この体重値の出力は任意である。例えば、今回入力された体重値のみを出力しても良い。また、例えば、予め期間又は日時等が設定されており、その期間や日時等に取得した体重値を出力しても良い。体重値を取得した期間又は日時等が設定されている場合、出力処理部６２２は、体重値履歴テーブル６１２から、入力された期間又は日時等に該当する日時７０１と対応する体重７０２を読出し、読み出した体重７０２を出力装置６０５に出力すると良い。
【００８３】
ここで、所定期間の体重値をディスプレイ等の出力装置６０５に表示する場合の画面例を図１１に示す。図１１において、画面１１０１は、所定期間の体重の変化を示すグラフを表示する例である。本実施形態の歩行体重計１０１は、歩行等して通過するだけで体重値を取得することができるので、継続的な計測が容易となる。従って、ある程度の期間連続して体重値を計測することで、例えば図１１の画面１１０１に一例を示すように、体重値の変化を取得することが容易となる。
【００８４】
なお、体重を出力する動作を行なうタイミングは、体重値が入力されたときときのみに限定するものではない。このタイミングは任意であり、例えば、ユーザが入力装置６０６を用いて出力を指示した場合や、所定時間毎等に出力しても良い。
＜第２の実施形態＞
次に、第２の実施形態を説明する。
【００８５】
第２の実施形態は、重量センサが複数あるものである。第２の実施形態の構成例を図１２に示す。なお、図１２では、上述の第１の実施形態と同じ構成のものには同じ符号を付与して説明を省略する。
【００８６】
図１２において、歩行体重計１０１は、複数の重量センサ１２０１を有する。このように、複数の重量センサ１２０１とすることで、単一の歩行体重計１０１の場合よりも推定値を多く取得することが可能である。
【００８７】
なお、この重量センサ１２０１の数は特に定められるわけではなく、任意でよい。
【００８８】
また、上述の第１の実施形態では、重量センサ１１１はロードセル型の歪センサであるものとして説明したが、これ以外の歪センサを利用した場合の構造としてこのような形を取っても良い。
【００８９】
このように、本実施形態の歩行体重計によれば、体重を計測する手間が簡素化されるため、日々の健康管理等の体重記録をより手軽につけられるようになる。家庭用のヘルスケアシステムなどおおまかな体重増減の傾向を記録する精度より手軽さが重要視される物では、継続性の高いログを取得しやすくできる。
【００９０】
また、体重計の形をとらなくても、例えば床に埋め込む形で本実施形態の歩行体重計を組み込むことが可能となる。これにより、被計測者が意識しなくとも体重を量ることが可能となる。
【００９１】
さらに、被計測者が子供やペット等であり、静止あるいはゆっくりと体重計の上を歩行させることが困難な場合であっても、ある程度の精度の体重を取得することが可能となる。
【００９２】
また、体重計の形状をその上で静止させることを前提にしなくてもよくなるため、デザイン面での自由度が向上する。
【００９３】
以上、実施形態を、図面を参照して詳述してきたが、具体的な構成はこの実施形態に限られるものではなく、本稿の要旨を逸脱しない範囲の設計変更等も含まれる。
【００９４】
例えば、上述の実施形態では、モニタ機器と歩行体重計との両方を有しているものとしたが、これに限られるわけではなく、歩行体重計のみでもよい。また、歩行体重計とモニタ機器との機能を同じ機器が有していても良い。
【００９５】
また、例えば、上述の実施形態では、１つの歩行体重計では１人の被計測者を計測する場合の例を説明したが、これに限られるわけではなく、１つの歩行体重計で複数の被計測者を計測してもよい。その場合、歩行体重計の補正値テーブルに、被計測者に応じて異なる閾値、計測取得開始補正時間、計測取得終了補正時間、重量補正値等を設定しておくと良い。計測値がどの被計測者のものであるかを判定するためには、例えば、歩行体重計上を平日の８：００時に通過するのは子供、９：００時に歩行するのは親等というように、計測する時間毎に被計測者を設定するテーブル等を歩行体重計の不発揮性記憶装置等に格納しておき、計測値処理装置が、このテーブル等と計測時刻とにより、計測値がどの被計測者のものであるかを判定してもよい。また、例えば、予め被計測者毎に計測値の範囲を設定するテーブル等を歩行体重計の不発揮性記憶装置等に格納しておき、計測値処理装置が、入力された計測値がこのテーブル内の何れかの計測値範囲に含まれるかにより、その計測値がどの被計測者の体重であるか判定してもよい。
【図面の簡単な説明】
【００９６】
【図１】システム構成例を示す図。
【図２】体重値取得装置の構成例を示す図。
【図３】補正値テーブルの一例を示す図。
【図４】重量センサの構成例を示す図。
【図５】計測値の一例を示す図。
【図６】モニタ機器の一例を示す図。
【図７】体重値履歴テーブルの一例を示す図。
【図８】体重歩行計の動作例を示す図。
【図９】体重値を表示する画面の例を示す図。
【図１０】モニタ機器の動作例を示す図。
【図１１】体重値を表示する画面の例を示す図。
【図１２】構成例を示す図。
【符号の説明】
【００９７】
１０１：歩行体重計、１１１：重量センサ、４０１：ロードセル、４１１：天板、４１２：支持部、４１３：歪センサ、１１２：電源部、１１３：体重値取得装置、１１４：出力装置、２１１：ＬＣＤ、１１５：補正値入力装置、２２１〜２２３：スイッチ、１１６：インタフェース、２３１：ＬＡＮデバイス、１１７：計測値処理装置、２４１：ＣＰＵ、２６１：計測値受付部、２６２：計測値抽出部、２６３：算出部、２６４：重量補正部、２６５：出力処理部、２４２：発揮性記憶装置、２４３：不発揮性記憶装置、２５１：計測値処理プログラム、２５２：補正値テーブル、２４４：Ｉ/Ｏコントローラ、２４５：ＡＤコンバータ、１０２：モニタ機器、６０１：ＣＰＵ、６２１：体重値受付部、６２２：出力処理部、６０２：発揮性記憶装置、６０３：不発揮性記憶装置、６１１：出力処理プログラム、６１２：体重値履歴テーブル、６０４：Ｉ/Ｏコントローラ、６０５：出力装置、６０６：入力装置、６０７：インタフェース、１２０１：重量センサ
【図１】
2008139179.tif 000003
【図２】
2008139179.tif 000004
【図３】
2008139179.tif 000005
【図４】
2008139179.tif 000006
【図５】
2008139179.tif 000007
【図６】
2008139179.tif 000008
【図７】
2008139179.tif 000009
【図８】
2008139179.tif 000010
【図９】
2008139179.tif 000011
【図１０】
2008139179.tif 000012
【図１１】
2008139179.tif 000013
【図１２】
2008139179.tif 000014